(57)【特許請求の範囲】
【請求項１】
蛍光灯と、この蛍光灯の両電極に接続されるランプソケットと、前記蛍光灯の両電極間に介在する蛍光灯始動用電子部品とを備え、点灯装置に接続されて棚の下方に陳列した商品を照明する蛍光灯照明器具を、棚下面部に取付けた棚装置において、
前記ランプソケットから導出されて前記蛍光灯の各電極毎にそれぞれ対をなす電線どうし、また前記蛍光灯始動用電子部品から導出される対をなす電線どうし、さらに前記点灯装置に接続される対をなす電線どうしを、それぞれ略等長に形成し、
前記ランプソケットから導出されてそれぞれ対をなす前記電線のそれぞれ一方を前記点灯装置に接続される前記電線のそれぞれ一方に、また前記ランプソケットから導出されてそれぞれ対をなす前記電線のそれぞれ他方を前記蛍光灯始動用電子部品から導出される前記電線のそれぞれ一方に、互いに近接する位置で接続し、
前記蛍光灯始動用電子部品は開口のある略板状のケースに収納され、前記ケースの開口に隣接する側面に頭付き取付部を突設し、前記開口の縁部より開口方向の外方に延出した延出片の先端に回転止め突起を設け、かつ前記開口より電子部品の電線を導出したものであり、
前記棚下面部に取付具を突出し、前記取付部を嵌合して首部を縁部に係止する孔、および前記回転止め突起を係止する孔を、前記取付具の背面に形成したことを特徴とする棚装置。
【発明の詳細な説明】
【０００１】
【発明の属する技術分野】
この発明は、ショーケース等の展示装置で、棚下面部に蛍光灯を設けてなる棚装置に関するものである。
【０００２】
【従来の技術】
従来例（例えば実公平6-5592号) を図１２に示す。すなわち、この棚装置は、蛍光灯１００と、この蛍光灯１００の両電極に接続されるランプソケット１０１と、蛍光灯１００の両電極間に介在する蛍光灯始動用電子部品１０２を接続した点灯管用ソケット１０３とを備え、ランプソケット１０１が点灯装置に接続されて棚１０６の下方に陳列した商品を照明する蛍光灯照明器具１０４を、棚下面部に取付けたものであった。
【０００３】
【発明が解決しようとする課題】
しかし、点灯管用ソケット１０３という配線部品を介してランプ始動用電子部品１０２を接続しているため、棚下面部のＶ字形の取付具１０５の前面にランプソケット１０１を設け、背面に点灯管用ソケット１０３を設置すると点灯管用ソケット１０３が棚前方から見えないようにするため、取付具１０５の垂下量Ｈが大きくなり大型化した。
【０００４】
一方、蛍光灯１００は管径が例えば、３２φから２５φ、さらに１６φへと小さい方に移行しつつあり、このような傾向に応じて取付具１０５の高さＨも例えば４０ｍｍから２４ｍｍへと小さくしたいが、点灯部品が現状のままでは点灯管用ソケット１０３が棚の下面に大きく露出することとなり、棚の前面側から点灯管用ソケット１０３が見えるため外観を損なう上、棚へ商品を陳列する際に邪魔になるという問題があった。
【０００５】
したがって、この発明の目的は、管径の小型化に対応して棚下を小型化できしかも外観を損なわず陳列商品の邪魔にならない棚装置を提供することである。
【０００６】
【課題を解決するための手段】
請求項１記載の棚装置は、蛍光灯と、この蛍光灯の両電極に接続されるランプソケットと、前記蛍光灯の両電極間に介在する蛍光灯始動用電子部品とを備え、点灯装置に接続されて棚の下方に陳列した商品を照明する蛍光灯照明器具を、棚下面部に取付けた棚装置において、
前記ランプソケットから導出されて前記蛍光灯の各電極毎にそれぞれ対をなす電線どうし、また前記蛍光灯始動用電子部品から導出される対をなす電線どうし、さらに前記点灯装置に接続される対をなす電線どうしを、それぞれ略等長に形成し、
前記ランプソケットから導出されてそれぞれ対をなす前記電線のそれぞれ一方を前記点灯装置に接続される前記電線のそれぞれ一方に、また前記ランプソケットから導出されてそれぞれ対をなす前記電線のそれぞれ他方を前記蛍光灯始動用電子部品から導出される前記電線のそれぞれ一方に、互いに近接する位置で接続し、
前記蛍光灯始動用電子部品は開口のある略板状のケースに収納され、前記ケースの開口に隣接する側面に頭付き取付部を突設し、前記開口の縁部より開口方向の外方に延出した延出片の先端に回転止め突起を設け、かつ前記開口より電子部品の電線を導出したものであり、
前記棚下面部に取付具を突出し、前記取付部を嵌合して首部を縁部に係止する孔、および前記回転止め突起を係止する孔を、前記取付具の背面に形成したことを特徴とするものである。
【０００７】
請求項１記載の棚装置によれば、点灯管用ソケットをなくし蛍光灯始動用電子部品を直接配線するため、ランプの小型化に対応して棚下面部に設けるＶ形の取付具の高さを小さくしても取付具の背面側に配置される蛍光灯始動用電子部品が小さいので棚から露出せず始動用電子部品が棚の前面側から見えないので見栄えがよく、商品陳列の取付作業時にも邪魔にならない。また蛍光灯への配線の引回しや電線相互の接続はＶ形の取付具の背面側で行なうことができ、電線が見えたり邪魔になったりすることがなく、垂れ下がり防止の処理等も不要である。
【０００９】
【発明の実施の形態】
この発明の第１の実施の形態を図１から図３により説明する。すなわち、この棚装置は、蛍光灯１と、この蛍光灯１の両電極に接続されるランプソケット２、３と、蛍光灯１の両電極間に介在する蛍光灯始動用電子部品４とを備えた蛍光灯照明器具６であって、点灯装置（図示せず）に接続されて棚５の下方に陳列した商品を照明する蛍光灯照明器具６を、棚下面部に取付けたものである。
【００１０】
実施の形態では、棚５の下面に横方向に延びるように例えば金属製の断面Ｖ字形の取付具１２を配設し、この取付具１２の前面１２ａに保持部材７により一対のランプソケット２、３を取付けるとともに、ランプソケット２、３間に装着する蛍光灯１を装着している。蛍光灯始動用電子部品４は図３に示すように円筒状であり、両端より電線１３、１４を導出し、取付具１２の前面１２ａと反対側となる背面１２ｂに周面が沿うように配置し、略Ｕ字形の保持具２１内に蛍光灯始動用電子部品４を抱持し、保持具２１の両端の外向きの係止部２１ａを取付具１２の背面１２ｂに形成した孔に通して係止部２１ａを孔の縁部に保持具２１の外開き弾性により係止している。
【００１１】
また図２に示すように、ランプソケット２、３から導出されて蛍光灯１の各電極毎にそれぞれ対をなす電線８、９どうしおよび電線１０、１１どうしを略等長に形成している。また蛍光灯始動用電子部品４から導出される対をなす電線１３、１４どうしを略等長に形成している。さらに点灯装置（図示せず）に接続される対をなす電線１５、１６どうしを略等長に形成している。点灯装置は例えば蛍光灯電子安定器を用い、接続器２２を介して接続されるもので、電線１５、１６は接続器２２より導出されている。点灯装置は、各棚５の蛍光灯照明器具６毎に設ける場合と、各棚５の全ての蛍光灯照明器具６または各棚５のうちの１群の蛍光灯照明器具６についてまとめて設ける場合とがあるが、いずれも棚装置の外部に設置されるか、あるいは棚装置内でも目立たない箇所に設置することができる。
【００１２】
さらに、ランプソケット２、３から導出されてそれぞれ対をなす電線８、９および１０、１１のそれぞれ一方（８、１０）を点灯装置に接続される電線１５、１６のそれぞれ一方に接続具１７、１８により接続する。またランプソケット２、３から導出されてそれぞれ対をなす電線８、９および１０、１１のそれぞれ他方（９、１１）を蛍光灯始動用電子部品１２から導出される電線１３、１４のそれぞれ一方に接続具１９、２０により接続する。そして、接続具１７〜２０を互いに近接して配置している。これらの電線８〜１１、１３〜１６は取付具１２の背面１２ｂ上に配線される。
【００１３】
第１の実施の形態によれば、蛍光灯１の小型化に対して、つぎの効果がある。すなわち、棚５の下面部に設けたＶ字形の取付具１２の背面１２ｂより後方となる内側スペース２３（一点鎖線Ａと棚５の下面との間の空間）内に点灯用部品が収納されて、棚５の前面１２ａ側からみて点灯用部品が露出しないので見栄えがよく、商品の取付作業時にも邪魔にならない。
【００１４】
蛍光灯１への配線の引回しや電線相互の接続は、取付具１２の背面１２ｂ内で行なうことができ、前面１２ａ側から電線８〜１１、１３〜１６が見えたり邪魔になったりすることがなく、垂れ下がり防止の処理等も不要である。
なお、始動用電子部品４の形状によっては、Ｖ字形の取付具１２以外の取付けも可能である。また始動用電子部品４の重量および形状によっては始動用電子部品４を接続する電線１３、１４を背面１２ｂに固定し、始動用電子部品４は電線１３、１４によりぶら下げるだけのものでもよい。
【００１５】
この発明の第２の実施の形態を図４および図５に示す。すなわち、この棚装置は、第１の実施の形態の蛍光灯始動用電子部品４について、その外形が厚さｔ、幅Ｗ、長さＬでｔ＜Ｗ＜Ｌの関係を有する略板状であり、その最大面積を持つ面４ａ、４ｂの一方の面４ｂより電線１３、１４を導出し、面４ａを取付面である取付具１２の背面１２ｂに対向させて取付けたものである。
【００１６】
実施の形態では、取付具１２の背面１２ｂの上下に取付用の爪２４を対向立設し、電子部品４の上下両側を爪２４に係止して取付けている。
この実施の形態によれば、背面１２ｂから垂直方向の飛び出し量Ｘを少なくすることができる。
その他は第１の実施の形態と同様である。
【００１７】
この発明の第３の実施の形態を図６から図１０に示す。すなわち、この棚装置は、第１の実施の形態の蛍光灯始動用電子部品４について、この蛍光灯始動用電子部品４がケース２８と、ケース２８に収納されたコンデンサ素子２９からなるものである。ケース２８は、外形が角筒形の略板状で、長さＬ、幅Ｗ、厚さｔがＬ＞Ｗ＞ｔの関係にあり、一側面に電線引出用の開口４ｃを形成し、厚さｔの軸方向の表面すなわち最大面積を持つ面４ａに略楕円形状の凸形の頭付き取付部２６を突設するとともに、開口４ｃの縁部より開口方向の外方に延出した延出片３０の先端の外面にだぼを用いた回転止め突起３１を設けている。
【００１８】
取付具１２の背面１２ｂに、取付部２６を嵌合して取付部２６の首部を縁部に係止する孔および回転止め突起３１を係止する孔を形成し、これによりケース２８を背面１２ｂに取付けている。
コンデンサ素子２９は図８のようにフィルムを巻いて形成したものであり、電極（１３、１４）は両端部より径方向に延出している。ここで、コンデンサ素子２９の軸方向長さＬ1 、電極（１３、１４）の延出方向のコンデンサ素子２９の外径Ｗ1 、それと直角な方向のコンデンサ素子２９の外径ｔ1 とすると、Ｌ1 ＞Ｗ1 ＞ｔ1 の関係がある。これをケース２８に収納する際には、図９のように面４ａに取付部２６や回転止め突起３１があり、側面に開口４ｃがあるケース２８を使用し、開口４ｃより電線１３、１４を導出することにより、寸法関係からコンデンサ素子２９のケース２８への収まり具合がよく、しかも開口４ｃより導出した電線１３、１４が回転止め突起３１の突出方向と同じであるため、これらの突出方向が別々であるものと比較して、省スペースにすることができる。電線１３、１４の引出口が一面となるためケース２８に入れたコンデンサ素子２９の防水加工が、例えば図３のように２面から電線１３、１４を引出した始動用電子部品よりも容易である。
【００１９】
さらに図１０（ａ）に示すように電線１３、１４を同一の開口４ｃから開口４ｃに平行に互いに反対向きに引出した場合、同図（ｂ）のように電線１４は開口方向に引出し、電線１３を開口４ｃから引出したのち開口４ｃと反対向きに引き出すものと比較して、ランプソケット取付状態において、始動用電子部品４に加わる回転の応力が小さく好都合である。すなわち、（ａ）では回転の応力が小さいのに対して（ｂ）では回転応力が大きい。
【００２０】
また、第２の実施の形態と同様に始動用電子部品４の厚さｔが小さいため取付具１２の背面１２ｂからの飛び出しが少ない。
図１１は第３の実施の形態の変形形態であり、ケース２８の開口４ｃを下向きではなく上向きすなわち棚５の下面に向け、電線１３、１４をケース２８の上側より導出しかつ棚５に沿って互いに反対向きに引き出したものであり、第３の実施の形態と同様な効果がある。
【００２１】
なおこの発明において、蛍光灯１は片口金蛍光灯でもよい。
【００２２】
【発明の効果】
請求項１記載の棚装置によれば、点灯管用ソケットをなくし蛍光灯始動用電子部品を直接配線するため、ランプの小型化に対応して棚下面部に設けるＶ形の取付具の高さを小さくしても取付具の背面側に配置される蛍光灯始動用電子部品が小さいので棚から露出せず始動用電子部品が棚の前面側から見えないので見栄えがよく、商品陳列の取付作業時にも邪魔にならない。また蛍光灯への配線の引回しや電線相互の接続はＶ形の取付具の背面側で行なうことができ、電線が見えたり邪魔になったりすることがなく、垂れ下がり防止の処理等も不要である。
【図面の簡単な説明】
【図１】この発明の第１の実施の形態の要部断面図である。
【図２】ランプソケット、点灯装置および始動用電子部品の配線を示す説明図である。
【図３】始動用電子部品の斜視図である。
【図４】第２の実施の形態の要部を示し、（ａ）は断面図、（ｂ）はＶ字形取付具の背面をみた背面図である。
【図５】その始動用電子部品の斜視図である。
【図６】第３の実施の形態の要部断面図である。
【図７】その始動用電子部品の斜視図である。
【図８】コンデンサ素子の斜視図である。
【図９】ケース内の構成を示す説明図である。
【図１０】蛍光灯始動用電子部品の電線の導出方向の２態様を示す説明図である。
【図１１】変形形態を示し、（ａ）は断面図、（ｂ）はその背面図である。
【図１２】従来例の棚装置の断面図である。
【符号の説明】
１    蛍光灯
２    ランプソケット
３    ランプソケット
４    蛍光灯始動用電子部品
５    棚
６    蛍光灯照明器具
８    電線
９    電線
１２    取付具
１３    電線
１４    電線
１５    電線
１６    電線
【図１】
0003807093.tif 000002
【図２】
0003807093.tif 000003
【図３】
0003807093.tif 000004
【図４】
0003807093.tif 000005
【図５】
0003807093.tif 000006
【図６】
0003807093.tif 000007
【図７】
0003807093.tif 000008
【図８】
0003807093.tif 000009
【図９】
0003807093.tif 000010
【図１０】
0003807093.tif 000011
【図１１】
0003807093.tif 000012
【図１２】
0003807093.tif 000013